(57)【要約】      （修正有）【課題】老人が外出する際に、身に着けていると非常に役に立つ傘、懐中電灯、ブザー、氏名及び住所または電話番号等の連絡先が記載された書面、拡大鏡および家族等がステッキの位置を追跡することを可能とするＧＰＳ発信機を内蔵するステッキを提供する。【解決手段】傘部１０２と、ステッキ部１１４とを備えた傘等内蔵ステッキ１００において、傘部の柄１１０には傘取り出し紐１０１を設置し、ステッキ部は柱状の筒部１０４とハンドル部１０３とし、傘部をステッキ部の柱状の筒部の中に、傘の柄に設置された取り出し紐がステッキのハンドル部の近傍に位置する状態で収められるように傘等内蔵ステッキを構成する。【選択図】図１
0003136903.tif 000002
【実用新案登録請求の範囲】
【請求項１】
傘部と、
ステッキ部と、を備えた傘等内蔵ステッキであって、
前記傘部の柄には取り出し紐が設置されて、
前記ステッキ部は柱状の筒部とハンドル部よりなり、前記傘部は前記ステッキ部の柱状の筒部の中に、前記取り出し紐がステッキのハンドル部の近傍に位置する状態で収められていることを特徴とする傘等内蔵ステッキ。
【請求項２】
請求項１に記載の傘等内蔵ステッキにおいて、
前記ステッキ部の前記筒部の表面に懐中電灯が取り外し可能に設置されていることを特徴とする傘等内蔵ステッキ。
【請求項３】
請求項１または２に記載の傘等内蔵ステッキにおいて、
前記ステッキ部の前記筒部の表面にブザーが設置されていることを特徴とする傘等内臓ステッキ。
【請求項４】
請求項１乃至３のいずれかに記載の傘等内蔵ステッキにおいて、
前記ステッキ部の前記筒部の表面に氏名及び住所または電話番号等の連絡先が記載された書面が付されていることを特徴とする傘等内臓ステッキ。
【請求項５】
請求項１乃至４のいずれかに記載の傘等内蔵ステッキにおいて、
前記ステッキ部の前記筒部の表面に拡大鏡が取り外し可能に設置されていることを特徴とする傘等内臓ステッキ。
【請求項６】
請求項１乃至５のいずれかに記載の傘等内蔵ステッキにおいて、
前記ステッキ部の前記筒部の中にＧＰＳ信号発信機が設置されていることを特徴とする傘等内臓ステッキ。
【請求項７】
請求項１乃至６のいずれかに記載の傘等内蔵ステッキにおいて、
前記ハンドル部はアルミ製の芯にゴム製のグリップが付されたものであり、前記ステッキ部の前記筒部は厚みが０．２ｍｍで、直径が３０ｍｍのアルミ製の円筒であり、前記傘部の柄は木製であり、前記取り出し紐が前記木製の柄にもくねじで留められていることを特徴とする傘等内臓ステッキ。
【考案の詳細な説明】
【技術分野】
【０００１】
本考案は、傘を内臓し、懐中電灯、氏名及び住所または電話番号等の連絡先が記載された書面等が設置されたステッキに関する。
【背景技術】
【０００２】
老人等は、外出する際には、転倒の防止等の目的で、ステッキを用いる場合が多い。外出中には、突然、雨が降ることもある。また、外出中に日が暮れてしまうこともある。さらに、突然体調が悪くなって、助けを求める必要が生じることもある。
【特許文献１】特開平１１−１５１１０８
【考案の開示】
【考案が解決しようとする課題】
【０００３】
しかしながら、常に傘や懐中電灯を携帯するのは、老人には負担が大きい。また、そこまで注意力が及ばない場合が多い。これらのものをバラバラに持つのは重く、手が塞がり、転倒しやすくなる。
突然体調が悪くなって、助けを求めたくても、体力的に大きな声が出せない場合も多い。外出する際に用いるステッキに、老人が必要な備品が設置されていれば、無意識のうちに必要な備品を携帯することができる。
【０００４】
そこで、本考案は、老人が外出する際に、身に着けていると非常に役に立つ傘、懐中電灯、ブザー、氏名及び住所または電話番号等の連絡先が記載された書面、拡大鏡および家族等がステッキの位置を追跡することを可能とするＧＰＳ発信機を内蔵するステッキを提供することを目的とする。
【課題を解決するための手段】
【０００５】
請求項１に記載された考案は、傘部と、ステッキ部と、を備えた傘等内蔵ステッキであって、
前記傘部の柄には取り出し紐が設置されて、
前記ステッキ部は柱状の筒部とハンドル部よりなり、前記傘部は前記ステッキ部の柱状の筒部の中に、前記取り出し紐がステッキのハンドル部の近傍に位置する状態で収められていることを特徴とする。
【０００６】
請求項２に記載された考案は、請求項１に記載の傘等内蔵ステッキに係り、
前記ステッキ部の前記筒部の表面に懐中電灯が取り外し可能に設置されていることを特徴とする。
【０００７】
請求項３に記載された考案は、請求項１または２に記載の傘等内蔵ステッキに係り、
前記ステッキ部の前記筒部の表面にブザーが設置されていることを特徴とする。
【０００８】
請求項４に記載された考案は、請求項１乃至３のいずれかに記載の傘等内蔵ステッキに係り、
前記ステッキ部の前記筒部の表面に氏名及び住所または電話番号等の連絡先が記載された書面が付されていることを特徴とする。
【０００９】
請求項５に記載された考案は、請求項１乃至４のいずれかに記載の傘等内蔵ステッキに係り、
前記ステッキ部の前記筒部の表面に拡大鏡が取り外し可能に設置されていることを特徴とする。
【００１０】
請求項６に記載された考案は、請求項１乃至５のいずれかに記載の傘等内蔵ステッキに係り、
前記ステッキ部の前記筒部の中にＧＰＳ信号発信機が設置されていることを特徴とする。
【００１１】
請求項７に記載された考案は、請求項１乃至６のいずれかに記載の傘等内蔵ステッキに係り、
前記ハンドル部はアルミ製の芯にゴム製のグリップが付されたものであり、前記ステッキ部の前記筒部は厚みが０．２ｍｍで、直径が３０ｍｍのアルミ製の円筒であり、前記傘部の柄は木製であり、前記取り出し紐が前記木製の柄にもくねじで留められていることを特徴とする。
【考案の効果】
【００１２】
本考案に係る傘等内蔵ステッキによれば、老人等がステッキを用いて外出している際に、突然雨が降ってきたときには、傘を使用でき、暗くなってしまったときには、懐中電灯を使用でき、また、突然体調が悪くなって助けを求めるときには、ブザーを使用することができる。このステッキだけを持っていれば、老人が外出の際に起こりやすいトラブルの大半に対応できる。また、家族は、ステッキの中に内蔵されているＧＰＳ発信機により、ステッキを用いて外出している老人等の居場所を追跡でき、緊急時の救済を迅速に行うことができる。
【考案を実施するための最良の形態】
【００１３】
以下、図を参照しつつ、本考案を実施するための最良の形態につき説明する。
（実施の形態１）
以下、図を参照して説明する。
【００１４】
図１は本考案に係る傘等内蔵ステッキの構成を示す説明用側面図である。
図１において、１００は本考案に係る傘等内蔵ステッキであり、１０１は傘部の柄に設けられた取り出し紐であり、１１０は傘部の柄であり、１１１は傘部の帆であり、１０２は傘部である。１０３はステッキ部のハンドル部であり、１０４はステッキ部の柱状の筒部であり、１１４はステッキ部である。１０５は氏名及び住所または電話番号等の連絡先が記載された書面であり、１０６は拡大鏡であり、１０７は懐中電灯であり、１０８はブザーであり、１０９はＧＰＳ（Global Positioning System）信号発信機である。
【００１５】
傘部１０２の傘の柄部１１０の形状は棒状であり、柄部１１０の端に取り出し紐１０１が取り付けられている。取り出し紐１０１は傘部をステッキ部の筒部１０４の中に収められた状態から引っ張り出すために設けられている。氏名及び住所または電話番号等の連絡先が記載された書面１０５が筒部１０４に取り付けられている。この氏名及び住所または電話番号等の連絡先が記載された書面１０５により、老人がステッキを用いて外出している時に、突然体調が崩れたり、事故にあった場合でも、名前、住所、電話番号等を把握でき、スムーズに老人の家族等に連絡をとることができる。拡大鏡１０６が筒部１０４に取り付けられている。この拡大鏡により、老人等は外出中であっても、必要な場合に、小さな字等を読むことができる。懐中電灯１０７も筒部１０４に取り付けられている。外出中に、暗くなったときに使用することができ、安全に歩行することができる。ブザー１０８も筒部１０４に取り付けられている。外出中に、突然体調が崩れたり、事故にあったりしたときには周囲の人に助けを求める必要がある。しかし、老人は大きな声を出せない場合が多い。このような場合に、ステッキにブザーが設置してあれば、ブザーの音で周囲の人の注意を喚起することができる。ＧＰＳ信号発信機１０９が筒部１０４の中に設置されている。老人が本考案に係る傘等内蔵ステッキを用いて外出している間、ＧＰＳ信号発信機１０９により、老人の家族等は、老人の居場所を追跡でき、緊急の場合に老人の居場所を把握して救済等ができる。
【００１６】
なお、氏名及び住所または電話番号等の連絡先が記載された書面１０５、拡大鏡１０６、懐中電灯１０７、ブザー１０８およびＧＰＳ信号発信機１０９は、それら自体に特徴はなく、公知のものであるので、詳細な説明は省略する。また、これらの設置方法にも特徴はなく、公知の方法と公知のとめ具によって設置できるので、詳細な説明は省略する。
【００１７】
図２は傘部が筒部の中に収められた状態の本考案に係る傘等内蔵ステッキの構成を示す説明用側面図である。
【００１８】
傘部の柄に設置された取り出し紐１０１だけがステッキ部の筒部１０４より、飛び出している。傘を使用するときには、取り出し紐１０１を引っ張って、傘部を取り出すことができる。
【００１９】
図３は筒部から取り出された傘部を開いた状態を示す説明図である。傘部１０２の特徴は傘の柄部１１０の形状が通常の傘の柄と異なり、Ｌ字形の柄ではなく、棒状の柄である。傘の柄部１１０を筒部１０４に収めるためである。
【００２０】
図４はハンドル部１０３の構成と、筒部１０４の中に傘部１０２が収められている状態と、傘部１０２の棒状の柄１１０に設置されている引き出し紐１０１の構成を示す説明図である。
図４において、４０１はハンドル部１０３を構成するグリップである。１１１は傘部１０２の帆部である。４０２はハンドル部１０３を構成する芯である。４０３は螺子であり、１０４は筒部である。
【００２１】
取り出し紐１０１は螺子４０３により傘部の柄に取り付けられている。ハンドル部１０３を構成するグリップ４０１はゴム製である。また、筒部１０４は厚みが０．２ｍｍで、直径が３０ｍｍのアルミ製の円筒である。筒部１０４はアルミ製であり、非常に軽量である。
【図面の簡単な説明】
【００２２】
【図１】本考案に係る傘等内蔵ステッキの構成を示す説明用側面図である。
【図２】傘部が筒部の中に収められた状態の本考案に係る傘等内蔵ステッキの構成を示す説明用側面図である。
【図３】筒部から取り出された傘部を開いた状態を示す説明図である。
【図４】ハンドル部１０３の構成と、筒部１０４の中に傘部１０２が収められている状態と、傘部１０２の棒状の柄１１０に設置されている引き出し紐１０１の構成を示す説明図である。
【符号の説明】
【００２３】
１００      傘等内蔵ステッキ
１０１      傘部の柄に設けられた取り出し紐
１０２      傘部
１０３      ステッキ部のハンドル
１０４      筒部
１０５      氏名及び住所または電話番号等の連絡先が記載された書面
１０６      拡大鏡
１０７      懐中電灯
１０８      ブザー
１０９      ＧＰＳ（Global Positioning System）信号発信機
１１０      傘部の柄
１１１      傘部の帆
１１４      ステッキ部
【図１】
0003136903.tif 000003
【図２】
0003136903.tif 000004
【図３】
0003136903.tif 000005
【図４】
0003136903.tif 000006